(57)【要約】【課題】基地局間で指向性ビームの出力方向情報や出力時刻情報を共有することによって、端末での下り信号のセル間干渉を低減する。【解決手段】複数の基地局装置と、前記基地局装置からの下り信号を受信して通信を行う端末装置とを有する無線通信システムにおいて、前記基地局装置は、当該基地局装置が下り信号を送信する方向の情報を他の前記基地局装置に通知するビーム情報送信部と、他の前記基地局装置から送信された下り信号の送信方向の情報を受信するビーム情報受信部と、前記ビーム情報送信部から送信された下り信号の送信方向の情報を記録するビーム情報記録部と、を備える。【選択図】  図１
2005159849.tif 000002
【特許請求の範囲】
【請求項１】
複数の基地局装置と、前記基地局装置からの下り信号を受信して通信を行う端末装置とを有する無線通信システムにおいて、
前記基地局装置は、
当該基地局装置が下り信号を送信する方向の情報を他の前記基地局装置に通知するビーム情報送信部と、
他の前記基地局装置から送信された下り信号の送信方向の情報を受信するビーム情報受信部と、
前記ビーム情報送信部から送信された下り信号の送信方向の情報を記録するビーム情報記録部と、を備えることを特徴とする無線通信システム。
【請求項２】
前記基地局装置は、前記送信方向の情報と、該方向に下り信号が送信される時刻とを関連付けしたビームスケジュールを生成するビーム情報スケジュール部を備え、
前記ビーム情報送信部は、前記生成されたビームスケジュールを送信することを特徴とする請求項１に記載の無線通信システム。
【請求項３】
前記基地局装置は、基地局装置間で予め定められた下り信号の送信方向の情報と、該方向に下り信号が送信される時刻とを関連付けて記録する固定ビーム情報記録部を備え、
前記下り信号の送信方向の情報を記録する固定ビーム情報記録部と、
前記ビーム情報送信部は、前記固定ビーム情報記録部に記録された時刻には、前記ビームスケジュールを送信しないことを特徴とする請求項２に記載の無線通信システム。
【請求項４】
前記基地局装置は、他の前記基地局装置と同期した時刻情報を供給するタイマを備えることによって、他の前記基地局装置と同期して動作し、
前記ビーム情報送信部は、前記タイマによって供給される時刻情報に関連して生成されるビームスケジュールを送信することを特徴とする請求項２又は３に記載の無線通信システム。
【請求項５】
前記基地局装置は、他の前記基地局装置との同期が保証されない時刻情報を供給するタイマを備えることによって、他の前記基地局装置と同期せずに動作し、
前記基地局装置は、他の前記基地局装置とのタイマのずれを測定するオフセット測定部と、前記ビーム情報受信部によって受信した他の前記基地局装置の時刻情報に対してタイマのずれを補正するオフセット補正部と、を備え、
前記ビーム情報送信部は、前記タイマによって供給される時刻情報に関連して生成されるビームスケジュールを送信することを特徴とする請求項２又は３に記載の無線通信システム。
【請求項６】
前記基地局装置は、他の前記基地局装置との同期が保証されない時刻情報を供給するタイマを備えることによって、他の前記基地局装置と同期せずに動作し、
前記基地局装置は、他の前記基地局装置とのタイマのずれを測定するオフセット測定部と、前記ビーム情報送信部によって送信される時刻情報に対してタイマのずれを補正するオフセット補正部と、を備え、
前記ビーム情報送信部は、前記オフセット補正部によって補正された時刻情報を井順とするビームスケジュールを送信することを特徴とする請求項２又は３に記載の無線通信システム。
【請求項７】
端末装置に対して送信される下り信号の送信方向を制御する基地局装置において、
前記基地局装置が下り信号を送信する方向の情報を他の前記基地局装置に通知するビーム情報送信部と、
他の前記基地局装置から送信された下り信号の送信方向の情報を受信するビーム情報受信部と、
前記ビーム情報送信部から送信された下り信号の送信方向の情報を記録するビーム情報記録部と、を備えることを特徴とする基地局装置。
【請求項８】
前記送信方向の情報と、該方向に下り信号が送信される時刻とを関連付けしたビームスケジュールを生成するビーム情報スケジュール部を備え、
前記ビーム情報送信部は、前記生成されたビームスケジュールを送信することを特徴とする請求項７に記載の基地局装置。
【請求項９】
基地局装置間で予め定められた下り信号の送信方向の情報と、該方向に下り信号が送信される時刻とを関連付けて記録する固定ビーム情報記録部を備え、
前記ビーム情報送信部は、前記固定ビーム情報記録部に記録された時刻には、前記ビームスケジュールを送信しないことを特徴とする請求項８に記載の基地局装置。
【請求項１０】
他の前記基地局装置と同期した時刻情報を供給するタイマを備え、
前記ビーム情報送信部は、前記タイマによって供給される時刻情報に関連して生成されるビームスケジュールを送信することを特徴とする請求項８又は９に記載の基地局装置。
【請求項１１】
他の前記基地局装置との同期が保証されない時刻情報を供給するタイマと、
他の前記基地局装置とのタイマのずれを測定するオフセット測定部と、
前記ビーム情報受信部によって受信した他の前記基地局装置の時刻情報に対してタイマのずれを補正するオフセット補正部と、を備え、
前記ビーム情報送信部は、前記タイマによって供給される時刻情報に関連して生成されるビームスケジュールを送信することを特徴とする請求項８又は９に記載の基地局装置。
【請求項１２】
他の前記基地局装置との同期が保証されない時刻情報を供給するタイマと、
他の前記基地局装置とのタイマのずれを測定するオフセット測定部と、
前記ビーム情報送信部によって送信される時刻情報に対してタイマのずれを補正するオフセット補正部と、を備え、
前記ビーム情報送信部は、前記オフセット補正部によって補正された時刻情報を基準とするビームスケジュールを送信することを特徴とする請求項８又は９に記載の基地局装置。
【請求項１３】
複数の基地局装置と、前記基地局装置からの下り信号を受信して通信を行う端末装置とを有する無線通信システムで用いられる情報交換方法であって、
前記基地局装置は、
当該基地局装置が下り信号を送信する方向の情報を他の前記基地局装置に通知し、
他の前記基地局装置から送信された下り信号の送信方向の情報を受信し、
前記送信された下り信号の送信方向の情報を記録することを特徴とする情報交換方法。
【請求項１４】
前記基地局装置は、
前記送信方向の情報と、該方向に下り信号が送信される時刻とを関連付けしたビームスケジュールを生成し、
前記生成されたビームスケジュールを送信することを特徴とする請求項１３に記載の情報交換方法。
【請求項１５】
前記基地局装置は、
基地局装置間で予め定められた下り信号の送信方向の情報と、該方向に下り信号が送信される時刻とを関連付けて記録し、
前記記録された時時刻には、前記ビームスケジュールを送信しないことを特徴とする請求項１４に記載の情報交換方法。
【請求項１６】
前記基地局装置は、
他の前記基地局装置と同期した時刻情報を供給するタイマによって、他の前記基地局装置と同期して動作し、
前記タイマによって供給される時刻情報に関連して生成されるビームスケジュールを送信することを特徴とする請求項１４又は１５に記載の情報交換方法。
【請求項１７】
前記基地局装置は、
他の前記基地局装置との同期が保証されない時刻情報を供給するタイマによって、他の前記基地局装置と同期せずに動作し、
他の前記基地局装置とのタイマのずれを測定し、
前記受信した他の前記基地局装置の時刻情報に対してタイマのずれを補正し、
前記ビーム情報送信部は、前記タイマによって供給される時刻情報に関連して生成されるビームスケジュールを送信することを特徴とする請求項１４又は１５に記載の情報交換方法。
【請求項１８】
前記基地局装置は、
他の前記基地局装置との同期が保証されない時刻情報を供給するタイマによって、他の前記基地局装置と同期せずに動作し、
他の前記基地局装置とのタイマのずれを測定し、
前記送信される時刻情報に対してタイマのずれを補正し、
前記補正された時刻情報に関連するビームスケジュールを送信することを特徴とする請求項１４又は１５に記載の情報交換方法。
【発明の詳細な説明】
【技術分野】
【０００１】
本発明は、基地局から送信される電波の指向性を制御する無線通信システムに関し、特に、基地局間で指向性情報を共有して送信電波の指向性を制御する無線通信システムに関する。
【背景技術】
【０００２】
移動体に対する無線通信において、移動局の位置や方向を検出する技術としては、例えば特許文献１に記載されたものが知られている。この技術によると、送信局は、電波を放射する際に、アンテナ指向性のビーム方向の情報を送信しながら、受信局の存在する範囲内で当該ビームを走査する手段と、アンテナ指向性のビーム方向の情報を送信するための専用の周波数チャネルと、受信局より再送信された最適値情報を受信し、それに基づいてアンテナ指向性のビーム方向を制御する手段と、受信局より再送信された最適値情報を受信し、それに基づいて送信出力を制御する手段とを備えている。受信局は、送信局より走査されたビームの受信レベルを測定し、その最適値を検出してその情報を再送信する手段を備えていることによって、容易にかつ安価で受信局の位置または方向を検出することができ、最適方向に電波を放射することができる。
【０００３】
また、無線通信システムにおいて、チャネル容量の増大、伝送品質の改善、伝送速度の高速化を実現するため、基地局のアンテナの指向性を環境に応じて変化させる技術も提案されている（例えば、非特許文献１参照。）。
【特許文献１】特開平８−８８１４号公報
【非特許文献１】松本、外１名，「移動通信用アダプティブアレーアンテナ  −技術サーベイと展望−」，ＮＴＴ  ＤｏＣｏＭｏテクニカル・ジャーナル，株式会社エヌ・ティ・ティ・ドコモ，昭和６３年１月，Ｖｏｌ．５，Ｎｏ４
【発明の開示】
【発明が解決しようとする課題】
【０００４】
しかし、前述した従来技術では、各基地局で自由に下り信号の出力方向を制御していたので、基地局間で下り信号の出力方向（指向性ビームの方向）が重なってしまうことがあった。
【０００５】
例えば、図９（Ａ）に示す状態では、端末Ａ（１１）と端末Ｂ（１２）は希望基地局２１と通信をしている。また、希望基地局２１の近傍には、端末Ａ、端末Ｂとの通信をしていない干渉基地局２２が存在する。
【０００６】
このとき、希望基地局２１と干渉基地局２２とが互いに関係することなく下り信号の出力方向を決めると、希望基地局２１が下り信号の出力方向を決定する前に、干渉基地局２２が下り信号の出力方向を決定することがある。このとき図９（Ｂ）に示すように、希望基地局２１と干渉基地局２２との下り信号の出力方向が重ならないように、下り信号の出力方向を決めればよいが、図９（Ｃ）に示すように、希望基地局２１と干渉基地局２２との下り信号の出力方向が重なってしまうように、下り信号の出力方向が決まる場合がある。すなわち、図９（Ｃ）に示す状態では、希望基地局２１の指向性ビーム３２と干渉基地局２２の指向性ビームを３３とが同一の端末Ｂの方向を向いているので、端末Ｂは、希望基地局２１からの下り信号を高いレベルで受信することができるが、干渉基地局２２からの下り信号も高いレベルで受信するので、端末Ｂはセル間干渉の影響を受ける。これによりスループット特性が劣化する問題があった。
【０００７】
本発明は、基地局間で指向性ビームの出力方向情報や出力時刻情報を共有することによって、端末での下り信号のセル間干渉を低減することを目的としている。
【課題を解決するための手段】
【０００８】
複数の基地局装置と、前記基地局装置からの下り信号を受信して通信を行う端末装置とを有する無線通信システムにおいて、前記基地局装置は、当該基地局装置が下り信号を送信する方向の情報を他の前記基地局装置に通知するビーム情報送信部と、他の前記基地局装置から送信された下り信号の送信方向の情報を受信するビーム情報受信部と、前記ビーム情報送信部から送信された下り信号の送信方向の情報を記録するビーム情報記録部と、を備える。
【発明の効果】
【０００９】
本発明によると、基地局間での指向性ビームの出力方向情報や時刻情報を共有することによって、端末でのセル間の干渉を低減し、スループットを向上させることができる。
【発明を実施するための最良の形態】
【００１０】
以下、本発明の実施の形態を図面を参照して説明する。
【００１１】
図１に、本発明の第１の実施の形態の基地局装置の構成を示すブロック図である。
【００１２】
基地局装置１０１は、従来の基地局装置の構成２００の他に、本実施の形態に特徴的な構成として、ビーム情報送信部３００、ビーム情報受信部３０１及びビーム情報記録部３０２を備えている。
【００１３】
基地局装置１０１に含まれる従来の基地局装置の構成２００には、指向性を変化可能なアンテナ（例えば、アダプティブアレイアンテナ）２０１と、端末から基地局への上り信号の到来方向を推定する到来方向推定部２０２と、アレイアンテナ２０１で受信した上り信号を検波し、各アンテナエレメントによる受信信号を合成する検波・合成部２０３と、合成した信号の復調及び復号をする復調・復号部２０４と、信号処理とメモリに対するデータの入出力及び下り信号の送信先となる端末を決定するプロセッサ２０５と、制御情報や端末の情報を格納するメモリ２０６と、下り送信信号の符号化及び変調を行う符号化・変調部２０７と、下り信号の指向性を制御するアレー処理部２０８とが含まれている。
【００１４】
基地局装置１０１〜１０４は、複数がネットワーク１１１を介して接続されている。
【００１５】
ビーム情報送信部３００は、プロセッサ２０５からの指示に基づいて、下り信号を送信するときの指向性ビームの出力方向を出力方向情報として、ネットワーク１１１を経由して他の基地局１０２〜１０４に送信すると共に、ビーム情報記録部３０２に記録する。
【００１６】
ビーム情報受信部３０１は、他の基地局１０２〜１０４のビーム情報送信部３００によって送信された指向性ビームの出力方向情報を受信し、ビーム情報記録部３０２に記録する。
【００１７】
ビーム情報記録部３０２は、基地局１０１〜１０４の識別番号（基地局ＩＤ）と受信した出力方向情報を関連させて記録する。その記録はプロセッサ２０５が下り信号の送信先となる端末を選択する際に参照される。すなわち、ビーム情報記録部３０２に記録された情報に基づいて、どのタイミング（例えば、どのスロット）で、どの端末に下り信号を送信するかが決定される。ビーム情報記録部３０２は、メモリ２０６と独立に設けてもよいが、メモリ２０６の一部の領域にビーム情報記録部３０２を設けてもよい。
【００１８】
なお、各基地局１０１〜１０４にビーム情報送信部３００及びビーム情報受信部３０１を設けることなく、ビーム情報送信部３００及びビーム情報受信部３０１をネットワーク内に各基地局１０１〜１０４が共通に使用するように設けてもよい。また、各基地局１０１〜１０４が共通に使用するビーム情報送信部３００及びビーム情報受信部３０１を末端とするネットワークを、ネットワーク１１１に接続するように別に設けてもよい。
【００１９】
図２は、ビーム情報記録部３０２に記録される出力方向情報の説明図である。
【００２０】
同図に示すように、基地局１０１〜１０４の識別番号と、ビームの出力方向が対応するように記録されている。図２では、基地局１０１〜１０４の識別番号とビームの出力方向とが一対一で対応するように記録されているが、記録される基地局番号とビーム出力方向とは一対一で対応していなくてもよい。例えば、一つの基地局が、同時に複数の方向に下り信号を送信する場合は、一つの基地局番号に対して複数のビーム出力方向が対応する。
【００２１】
また、ビーム情報送信部３００から送信される出力方向情報、及びビーム情報受信部３０１によって受信される出力方向情報も、図２に示すものと同一の形式である。
【００２２】
図３は、本発明の第２の実施の形態の基地局装置の構成を示すブロック図である。
【００２３】
基地局装置１０１は、従来の基地局装置の構成２００の他に、本実施の形態に特徴的な構成として、ビーム情報送信部３００、ビーム情報受信部３０１、ビーム情報記録部３０２及びビーム情報スケジュール部３０３を備えている。なお、従来の基地局装置の構成２００は、前述した第１の実施の形態（図１）と同じであるが、本実施の形態の特徴の理解を容易にするために、プロセッサ２０５以外の構成は省略して図示する。また、前述した第１の実施の形態と同一に機能する構成には同一の符号を付し、その詳細な説明は省略する。
【００２４】
ビーム情報スケジュール部３０３は、自基地局１０１が出力する指向性ビームの方向を出力時刻に関連づけたビームスケジュールを生成する。このビームスケジュールは、送信スロット毎に定められた下り信号の送信方向を、複数スロット分集めたものである。なお、基地局間で管理可能なタイミング単位であれば、スロット毎ではなく、フレーム、チップ、クロックなど毎に下り信号の送信方向を変えるようにビームスケジュールを生成してもよい。生成されたビームスケジュールは、ビーム情報送信部３００から他の基地局１０２〜１０４に送信されると共に、ビーム情報記録部３０２に記録される。
【００２５】
ビーム情報送信部３００は、生成されたビームスケジュールを、ネットワーク１１１を経由して他の基地局１０２〜１０４に送信する。ビーム情報受信部３０１は他の基地局１０２〜１０４から送信されたビームスケジュールを受信し、ビーム情報記録部３０２に記録する。ビーム情報記録部３０２では基地局の識別番号と受信したビームスケジュールとを関連させて記憶する。このとき下り信号の出力時刻に対して単数又は複数のビーム出力方向が記録される。
【００２６】
図４は、ビーム情報記録部３０２に記録されるビームスケジュールの説明図である。
【００２７】
同図に示すように、一つの基地局の識別番号に対して、出力時刻（出力タイミング）毎にビーム出力方向が対応するように記録されている。記録される基地局の識別番号の数、及び出力時刻とビーム出力方向との組合せの数に制限はない。出力時刻の単位は秒、フレーム、スロット、チップ、クロックなど基地局がそのタイミングを特定できるものであれば様々なものを用いることができる。
【００２８】
また、ビーム情報送信部３００から送信されるビームスケジュール、及びビーム情報受信部３０１によって受信されるビームスケジュールも、図４に示すものと同一の形式である。
【００２９】
図５は、本発明の第３の実施の形態の基地局装置の構成を示すブロック図である。
【００３０】
基地局装置１０１は、従来の基地局装置の構成２００の他に、本実施の形態に特徴的な構成として、ビーム情報送信部３００、ビーム情報受信部３０１、ビーム情報記録部３０２、ビーム情報スケジュール部３０３及び固定ビーム情報記録部３０４を備えている。なお、従来の基地局装置の構成２００は、前述した第１の実施の形態（図１）と同じであるが、本実施の形態の特徴の理解を容易にするために、プロセッサ２０５以外の構成は省略して図示する。また、前述した第１又は第２の実施の形態と同一に機能する構成には同一の符号を付し、その詳細な説明は省略する。
【００３１】
第３の実施の形態では、各基地局装置が送信する下り信号のビーム方向が予め定められている固定ビーム時間帯と、送信する下り信号のビーム方向を各基地局装置が制御可能な可変ビーム時間帯とが設けられている。固定ビーム情報記録部３０４は、固定ビーム時間帯における、自基地局１０１及び他基地局１０２〜１０４のビームスケジュールを記録する。固定ビーム情報記録部３０４に記録されるビームスケジュールは、図４に示すものと同一の形式である。
【００３２】
ビーム情報スケジュール部３０３は、固定ビーム時間以外における、自基地局１０１のビームスケジュールを生成する。
【００３３】
図６は、本発明の第４の実施の形態の基地局装置の構成を示すブロック図である。
【００３４】
基地局装置１０１は、従来の基地局装置の構成２００中にタイマ２１０と同期部２１１を備える。なお、従来の基地局装置の構成２００の他の部分は、前述した第１の実施の形態（図１）と同じであるが、本実施の形態の特徴の理解を容易にするために、プロセッサ２０５、タイマ２１０及び同期部２１１以外の構成は省略して図示する。
【００３５】
基地局装置１０１は、従来の基地局装置の構成２００の他に、ビーム情報送信部３００、ビーム情報受信部３０１、ビーム情報記録部３０２、ビーム情報スケジュール部３０３及び固定ビーム情報記録部３０４を備えている。また、前述した第１〜第３の実施の形態と同一に機能する構成には同一の符号を付し、その詳細な説明は省略する。
【００３６】
同期部２１１はＧＰＳを含んで構成され、ＧＰＳ衛星から送信された時刻信号を取得して、基地局間で同期がとれた時刻を定める。
【００３７】
タイマ２１０は、同期部２１１がＧＰＳシステムから取得した時刻情報に同期する時計が動作している。タイマ２１０が生成する値はプロセッサ２０５に供給される。さらに、このタイマ２１０が生成する値は、ビーム情報記録部３０２、ビーム情報スケジュール部３０３及び固定ビーム情報記録部３０４によって参照され、下り信号の送信先となる端末を決定する際に使用される。
【００３８】
すなわち、ビーム情報スケジュール部３０３及び固定ビーム情報記録部３０４によって得られるビームスケジュールにおける時刻はタイマ２１０が生成する値に基づいている。また、ビーム情報受信部３０１によって受信される他基地局１０２〜１０４のビームスケジュールに含まれる時刻も、各基地局が等しい時刻に同期していることから、タイマ２１０が生成する値と等しくなっている。
【００３９】
図７は、本発明の第５の実施の形態の基地局装置の構成を示すブロック図である。
【００４０】
基地局装置１０１は、従来の基地局装置の構成２００中にタイマ２１０を備える。なお、従来の基地局装置の構成２００の他の部分は、前述した第１の実施の形態（図１）と同じであるが、本実施の形態の特徴の理解を容易にするために、プロセッサ２０５及びタイマ２１０以外の構成は省略して図示する。
【００４１】
基地局装置１０１は、従来の基地局装置の構成２００の他に、ビーム情報送信部３００、ビーム情報受信部３０１、ビーム情報記録部３０２、ビーム情報スケジュール部３０３、固定ビーム情報記録部３０４、オフセット測定部３０５及びオフセット補正部３０６を備えている。また、前述した第１〜第４の実施の形態と同一に機能する構成には同一の符号を付し、その詳細な説明は省略する。
【００４２】
オフセット測定部３０５は、他基地局１０２〜１０４のタイマ値を取得し、自基地局１０１のタイマとのずれを測定して、オフセット補正部３０６に供給する。具体的には、（１）他基地局１０２〜１０４が送信したタイマで生成した値（送信時タイマ値）を受信し、（２）該タイマ値を受信した時の自基地局のタイマが生成した値（受信時タイマ値）を取得し、（３）受信時タイマ値から送信時タイマ値を減算し、（４）基地局間の伝送路長に応じた伝搬遅延時間を減算して、自基地局１０１と他基地局１０２〜１０４とのタイマのズレを測定する。この伝搬遅延時間（タイマのズレ）は伝送路長と伝搬速度（光速）から算出し、基地局番号に関連させて記録しておく。
【００４３】
オフセット補正部３０６は、オフセット測定部３０５によって測定された自基地局１０１と他基地局１０２〜１０４とのタイマのズレを用いて、ビーム情報受信部３０１で受信したビームスケジュール中の出力時刻を補正する。
【００４４】
図８は、本発明の第６の実施の形態の基地局装置の構成を示すブロック図である。
【００４５】
基地局装置１０１は、従来の基地局装置の構成２００中にタイマ２１０を備える。なお、従来の基地局装置の構成２００の他の部分は、前述した第１の実施の形態（図１）と同じであるが、本実施の形態の特徴の理解を容易にするために、プロセッサ２０５及びタイマ２１０以外の構成は省略して図示する。
【００４６】
基地局装置１０１は、従来の基地局装置の構成２００の他に、ビーム情報送信部３００、ビーム情報受信部３０１、ビーム情報記録部３０２、ビーム情報スケジュール部３０３、固定ビーム情報記録部３０４、オフセット測定部３０５及びオフセット補正部３０７を備えている。また、前述した第１〜第４の実施の形態と同一に機能する構成には同一の符号を付し、その詳細な説明は省略する。
【００４７】
オフセット補正部３０７は、ビーム情報送信部３００が送信するビームスケジュール中の出力時刻を、送信先となる基地局毎に算出されたタイマのズレを用いて補正して、送信宛先の基地局のタイマ値に換算する。このとき、ビーム情報送信部３００は送信先となる基地局毎に出力時刻が異なる（タイマのズレ分異なる）ビームスケジュールが送信される。
【００４８】
以上説明したように、本発明の実施の形態によると、基地局間で指向性ビームの出力方向情報や出力時刻情報（ビームスケジュール）を共有することによって、端末における下り信号のセル間干渉を低減することができ、スループット特性の劣化を防ぐことができる。特に、各基地局が保有する時刻情報を補正するので、基地局間で指向性ビームの出力方向情報や出力時刻情報を共有の誤りを低減することができる。
【００４９】
以下、本発明の実施の形態の効果を図９を用いて説明する。
【００５０】
まず、図９（Ａ）に示す状態では、端末Ａ（１１）と端末Ｂ（１２）は希望基地局２１と通信をしている。また、希望基地局２１の近傍には、端末Ａ、端末Ｂと通信をしていない干渉基地局２２が存在する。
【００５１】
希望基地局２１が、干渉基地局２２からの下り信号の出力方向３１を知らない、又は干渉基地局２２からの下り信号の出力方向３１を３３の方向であると誤認するような、基地局間の情報共有の誤りが発生している場合には、図９（Ｃ）に示すように、希望基地局２１からの下り信号の出力方向３２は、端末Ｂの方向を決定する。干渉基地局２２からの下り信号の出力方向３１も端末Ｂの方向を向いているので、端末Ｂは、希望基地局２１からの下り信号も、干渉基地局２２からの下り信号も高いレベルで受信するので、セル間干渉の影響を受けてしまう。
【００５２】
一方、希望基地局２１が出力する下り信号の出力方向（指向性ビームの方向）を決定する際に、干渉基地局２２が出力する下り信号の出力方向（指向性ビーム３１の方向）が分かっていると、図９（Ｂ）に示すように、希望基地局２１は、干渉基地局２２からの下り信号の出力方向３１と重ならない方向に、下り信号の出力方向３２を決定することができる。このように図９（Ｂ）に示す状態では、端末Ａは干渉基地局２２からの下り信号の影響を受けず、セル間干渉の影響を受けない。
【００５３】
また、前述した基地局間の情報共有の誤りが発生する場合は、（１）通信路での情報伝送誤りが生じる場合、（２）通信路での伝送遅延により干渉基地局がビームを出力するまでに、希望基地局が干渉基地局の出力ビームを認識できない場合、（３）基地局間の同期ずれにより干渉基地局が指向性ビームを出力する時刻を希望基地局が誤認する場合等がある。（２）は、情報共有のためにベストエフォート型等の伝送時間が保障されない通信方式が用いられているときに生じる。（３）は、携帯電話システムによって各基地局の時計が同期していないときに生じる。本発明によると、これらの（２）、（３）の問題点を解決することができる。
【図面の簡単な説明】
【００５４】
【図１】本発明の第１の実施の形態の基地局装置の構成を示すブロック図である。
【図２】ビーム情報記録部に記録される出力方向情報の説明図である。
【図３】本発明の第２の実施の形態の基地局装置の構成を示すブロック図である。
【図４】ビーム情報記録部に記録されるビームスケジュールの説明図である。
【図５】本発明の第３の実施の形態の基地局装置の構成を示すブロック図である。
【図６】本発明の第４の実施の形態の基地局装置の構成を示すブロック図である。
【図７】本発明の第５の実施の形態の基地局装置の構成を示すブロック図である。
【図８】本発明の第６の実施の形態の基地局装置の構成を示すブロック図である。
【図９】本発明の課題、効果の説明図である。
【符号の説明】
【００５５】
１１、１２・・・端末装置
２１・・・希望基地局
２２・・・干渉基地局
３１・・・干渉基地局が出力する指向性ビーム
３２・・・希望基地局が出力する指向性ビーム
３３・・・希望基地局が誤認した干渉基地局が出力する指向性ビーム
１０１、１０２、１０３、１０４・・基地局装置
１１１・・・基地局間ネットワーク
２００・・・基地局装置
２０１・・・アレイアンテナ
２０２・・・上り信号到来方向推定部
２０３・・・検波・合成部
２０４・・・復調・復号部
２０５・・・プロセッサ
２０６・・・メモリ
２０７・・・符号化・変調部
２０８・・・アレー処理部
２０９・・・ネットワークＩ／Ｆ部
３００・・・ビーム情報送信部
３０１・・・ビーム情報受信部
３０２・・・ビーム情報記録部
３０３・・・ビーム情報スケジュール部
３０４・・・固定ビーム情報記録部
３０５・・・オフセット測定部
３０６、３０７・・・オフセット補正部
【図１】
2005159849.tif 000003
【図２】
2005159849.tif 000004
【図３】
2005159849.tif 000005
【図４】
2005159849.tif 000006
【図５】
2005159849.tif 000007
【図６】
2005159849.tif 000008
【図７】
2005159849.tif 000009
【図８】
2005159849.tif 000010
【図９】
2005159849.tif 000011